(57)【要約】  レバー装置（１０２、３０２）は、細長い本体（１０４、３０４）と、本体に取り付けられた両面延伸剥離接着剤（１０８、３３０、３３２）と、を有し、それにより、本体を、表面（１１０、３２６）に堅固に接着接合し、かつ接着剤を延伸させることにより表面に損傷を与えることなく表面からきれいに取り除くことができる。装置は、基部と、基部に枢動可能に連結された本体部材（１２０）と、基部および／または本体部材を表面または物体に取り付けるように構成された延伸剥離接着剤と、を有してもよい。基部を、本体部材の端部に、または本体部材の中央に枢動可能に連結してもよい。
2007512623.tif 000002
【特許請求の範囲】
【請求項１】
（ａ）細長い本体部材と、
（ｂ）前記本体に取り付けられた両面延伸剥離接着剤と、
を備えるレバー装置。
【請求項２】
前記本体部材が、剛性であり、第１端部、中央部および第２端部を有し、前記第１端部および前記第２端部がハンドルを備える、請求項１に記載のレバー装置。
【請求項３】
前記本体部材に枢動可能に連結される基部をさらに有する、請求項２に記載のレバー装置。
【請求項４】
前記延伸剥離接着剤が前記基部に付着される、請求項３に記載のレバー装置。
【請求項５】
前記基部が前記中央部に枢動可能に連結される、請求項３に記載のレバー装置。
【請求項６】
前記第１端部に枢動可能に連結されるヘッドをさらに備える、請求項５に記載のレバー装置。
【請求項７】
前記延伸剥離接着剤が前記ヘッドに付着される、請求項６に記載のレバー装置。
【請求項８】
前記基部と前記本体部材の第２端部との間に配置され、前記第２端部を付勢する付勢手段をさらに備える、請求項７に記載のレバー装置。
【請求項９】
前記基部が、前記第１端部に枢動可能に連結される、請求項３に記載のレバー装置。
【請求項１０】
本体部材が、前記本体部材から外側に延在する力付与部を有する、請求項９に記載のレバー装置。
【請求項１１】
前記延伸剥離接着剤が前記中央部に付着される、請求項２に記載のレバー装置。
【請求項１２】
前記延伸剥離接着剤が、長手方向に間隔が空けられ、かつ前記本体部材の長手方向軸に対して横切る方向に配置された、一対の細長いストリップである、請求項１１に記載のレバー装置。
【請求項１３】
前記中央部が、前記接着ストリップを受け入れる平面を有する、請求項１２に記載のレバー装置。
【請求項１４】
細長い本体部材を有するレバー装置によってトルクをもたらす方法であって、
（ａ）両面延伸剥離接着剤を使用して前記本体部材を表面に取り付けるステップと、
（ｂ）前記表面に対して平行でありかつ前記本体部材に対して垂直である力を前記本体部材に付与することにより、トルクをもたらすステップと、
を含む、レバー装置によってトルクをもたらす方法。
【発明の詳細な説明】
【技術分野】
【０００１】
本発明は、概してレバーに関し、特に、延伸剥離接着剤を用いて表面に取り付けられ、それにより装置を表面に堅固に取り付けることができ、かつ表面または物体に力を加えるために使用することができるが、表面に損傷を与えることなく表面から容易にかつきれいに取り除くことができる、レバー装置に関する。
【背景技術】
【０００２】
延伸剥離接着テープは、強固な保持力に、きれいに取り除くことができ表面に損傷を与えないという性質を結合した一種の高性能感圧接着剤である。延伸剥離接着テープは、テープを延伸させることにより表面に損傷を与えることなく、表面からきれいに取り除くことができるという特徴を有する。市販の両面延伸剥離接着剤は、コマンド（ＣＯＭＭＡＮＤ）接着剤という商品名でミネソタ州セントポールの３Ｍカンパニー（３Ｍ  Ｃｏｍｐａｎｙ（Ｓｔ．Ｐａｕｌ，Ｍｉｎｎｅｓｏｔａ））によって販売されている製品である。この製品は、目下、分離したストリップとして製造されており、ストリップの一端は、取り除く間にストリップの延伸を容易にする非粘着性プルタブを含む。延伸剥離接着剤は、多種多様の組立て、接合、付着および取付けの用途において有用である。
【０００３】
レバーは、多くの周知の装置において適用がある機械的利益をもたらすことができる単純な機械である。レバーの一般的な例には、はさみ、胡桃割りおよびピンセットがある。レバー装置によっては、レバーを表面に取り付けることが望ましい。たとえば、特許文献１（レオポルディ（Ｌｅｏｐｏｌｄｉ））は、関節炎患者がドアノブを回転させるのを助けるドアノブ用レバーアダプタを開示している。レバーアダプタは、一層の接着剤を有する凹状の弓形部材によってドアノブに取り付けられる。特許文献２（ミークス（Ｍｅｅｋｓ））は、レバーを含むケーブルクランプを開示している。ケーブルクランプは、クランプを加工物に取り付けるための両面接着テープを含む。しかしながら、これら装置は、使用が限られており、他の制限および欠点がある。
【特許文献１】米国特許第４，８７７，２７７号明細書
【特許文献２】米国特許第４，３５２，４７６号明細書
【発明の開示】
【発明が解決しようとする課題】
【０００４】
したがって、容易に表面または加工物に取り付けかつそこから取り除くことができ、かつ特定の最終用途に応じて引張力、圧縮力またはトルクを生成するために使用することができる、汎用性の高いレバー装置が必要である。したがって、引張り、圧縮またはトルクをもたらすために使用することができ、表面に確実に固定し表面に損傷を与えることも不要な残留物も残すことなく表面から容易に取り除くことができる、単純かつ安価なレバー装置を提供することが望ましい。
【課題を解決するための手段】
【０００５】
本発明は、機械的利益または不利益を提供するように表面にあてがうことができ、かつ引張力、圧縮力またはトルクを生成するために使用することができる、単純で安価で汎用性の高いレバー装置を提供することにより、本技術分野における上述した限界を克服する。本発明はまた、金属、ガラス、紙、木材および石工を含む多種多様の表面に付着させることができる装置も提供する。
【０００６】
一実施形態では、本発明は、細長い本体と、本体に取り付けられた両面延伸剥離接着剤と、を備え、それにより本体を表面に堅固に接着接合することができ、かつ接着剤を延伸させることによって表面に損傷を与えることなく表面からきれいに取り除くことができる、レバー装置を提供する。
【０００７】
特定の実施形態では、本発明は、基部と、基部に枢動可能に連結された本体部材と、表面または物体に基部および／または本体部材を取り付けるように構成された延伸剥離接着剤と、を含むレバー装置を提供する。基部を、本体部材の端部に、または本体部材の中央に枢動可能に連結してもよい。装置は、本体部材に枢動可能に連結されたヘッドを有してもよい。別の実施形態では、本装置は、レバー装置を表面または物体に向かってまたはそこから離れる方向に付勢する、ばね等の付勢手段を有してもよい。
【０００８】
別の特定の実施形態では、本装置は、細長い本体部材であって、その側部に対して横切る方向に延伸剥離接着剤が付着された第１部と、ハンドルとしての役割を果たす端部と、を有する本体部材を有し、それにより、装置を瓶の蓋等の部材に取り付け、その部材に対してトルクを与えるように回転させることができる。
【０００９】
最終用途によっては、必要な力を生成するためにレバーを表面に取り付ける必要がある。たとえば、表面または物体に対する引張負荷を生成するために第１種てこを使用するためには、表面または物体にレバーの一端を取り付ける必要がある。さらに、レバーの汎用性を向上させるために、またはその使用を容易にするために、表面または加工物にレバーを取り付けることが望ましい場合が多い。
【００１０】
本発明を、ホットメルト接着剤、膠またはエポキシセット等の接着剤が乾燥するかまたは他の方法で硬化する間に物体を適所に保持すること等、多種多様の使用および用途に対して使用することができる。さらに、本装置を使用して、１つまたは複数の部材を、装飾、幟または旗等の表面に取外し可能に取り付けることができ、それにより、レバー装置を、それ自体を表面から取り除くことなく部材を取り除くように単に外すことによって、部材を容易にかつ繰返し取り除きかつ／または取り替えることができる。本発明を使用して、たとえば電球を取り替えるかまたは瓶の蓋を緩めて取り外す際に有用であり得るトルクを生成することも可能である。本発明はまた、木工、工芸、もしくは家庭、職場または産業上の利用における他の使用において有用であり得る。たとえば、本発明を使用して、たとえば自動車、ボートおよびＲＶを含む自走車両等の表面から、またはアルミニウム板張りから、その表面に損傷を与えることなく、かつ表面にいかなる接着残留物も残すことなく、打ち傷を取り除くことができる。本発明による装置は、汎用性が高く、かつ、圧縮（すなわち締付）力、引張（すなわち牽引）力またはトルク（すなわち回転またはねじり力）を提供するために使用することができる。
【００１１】
本発明について、添付図面を参照してさらに説明する。
【発明を実施するための最良の形態】
【００１２】
ここで図面を参照すると、図１は、単純な第１種てこの形態のレバー装置２を示す。これは、細長い、好ましくは剛性の本体部材４と、本体部材４に取り付けられた、本体部材４を表面１０に取り付けるための一対の両面延伸剥離接着ストリップ６、８と、を有する。説明および添付図面を通して、機能的に同様の特徴を、同様の参照数字を１００ずつ増加させて言及する。
【００１３】
両面接着ストリップ６、８は、弾性裏材を有する延伸剥離接着テープ、高伸張性でありかつ実質的に非弾性の裏材を有する延伸剥離接着テープ、または固体弾性感圧接着剤を備えた延伸剥離接着テープを含む、任意の従来から知られる延伸剥離接着テープであってもよい。
【００１４】
本発明のさまざまな実施形態で使用するために適した特定のテープには、米国特許第４，０２４，３１２号明細書（コープマン（Ｋｏｒｐｍａｎ））に記載されている弾性裏材を有する感圧接着テープ、米国特許第５，５１６，５８１号明細書（クレッケル（Ｋｒｅｃｋｅｌ）他）および米国特許第６，２３１，９６２号明細書（ブリーズ（Ｂｒｉｅｓ）他）に記載されている高伸張性でありかつ実質的に非弾性の裏材を有する感圧接着テープ、ならびに独国特許第３３３１０１６号明細書に記載されている固体弾性感圧接着剤が含まれる。
【００１５】
適当な両面の市販されている延伸剥離接着テープは、コマンド（ＣＯＭＭＡＮＤ）接着剤という商品名でミネソタ州セントポールの３Ｍ社（３Ｍ  Ｃｏｍｐａｎｙ（Ｓｔ．Ｐａｕｌ，Ｍｉｎｎｅｓｏｔａ））によって販売されている製品である。この製品は、目下、分離したストリップとして製造されており、ストリップの一端は、取り除く間にストリップの延伸を容易にする非粘着性プルタブを含む。
【００１６】
図示する実施形態では、本体部材４は、第１端１２および第２端１４を含む細長い主部４ａと、第１端１２と第２端１４との中間で本体部材４から表面１０に向かって下方に延在する支持拡張部４ｂと、を含む。主部４ａはさらに、第１端部４ａ’と、支持拡張部４ｂが延出する中央部４ａ’’と、第２端部４ａ’’’と、を備える。第２端部４ａ’’’は、装置２の手動による作動を容易にするハンドル１６を備える。本体部材４は、特定の最終用途に対して必要な力に耐えまたはその力を伝達することができるように十分に剛性である。
【００１７】
本体部材主部４ａの第１端１２に、任意のヘッド１８が連結される。ヘッド１８は、表面１０、またはヘッド１８と表面１０との間に配置された物体（図示せず）にヘッド１８が付着するのを可能にする、延伸剥離接着ストリップ６を備える。ヘッド１８、したがって接着ストリップ６が表面１０または物体に完全に係合することができるように、ヘッド１８は、本体部材４の第１端部４ａ’に枢着されることが好ましい。このように、ヘッド１８は、表面１０に最初に接触する際、自動的に枢動することにより、接着ストリップ６と関連する表面１０または物体との間の接触面積を最大化するようにそれ自体を表面１０に位置合せする。
【００１８】
支持拡張部４ｂの末端は、基部２０に枢着されることにより、本体部材４が表面１０に対して枢動するのを可能にする。基部２０を表面１０に一時的に付着させるために、基部２０の底面に延伸剥離接着ストリップ８が設けられる。
【００１９】
装置２を用いて表面１０に圧縮力を加えるためには、接着ストリップ８によって基部２０を表面に取り付ける。そして、ハンドル１６に対して上方の力Ｆ１を加えると、それによってヘッド１８が表面１０に向かって下方に枢動する。ヘッド１８が表面１０に向かって移動しかつ表面１０に係合すると、表面１０上に圧縮力が及ぼされる。装置２がこのように（すなわち、クランプとして、または表面に対する圧縮力を生成するように）使用される場合、装置２を表面１０に係合させたままにするために接着ストリップ８が必要であるが、圧縮を介してヘッド１８が表面１０に接触したままであるため接着ストリップ６は不要である、ということが理解されよう。言い換えれば、装置２がクランプとして使用される場合、ヘッド１８は表面１０に対して付勢され、それにより基部２０は表面１０から離れる方向に付勢され、接着ストリップ８は、ヘッド１８が表面１０に対して圧縮力を及ぼすことができるように基部２０を表面１０に接触した状態で保持する役割を果たす。装置２を表面１０から取り除くためには、接着ストリップ８を、装置および表面から同時に剥離させるように既知の方法で延伸させる。
【００２０】
逆に、装置２を用いて表面１０、または表面１０とヘッド１８との間に配置された物体（図示せず）に牽引力または延伸力を与えるためには、延伸剥離接着ストリップ６を用いてヘッド１８を表面１０に取り付け、それによりヘッド１８を表面１０または物体に接着接合する。このように固定されると、ヘッド１８が表面１０または物体から離れる方向に移動するように枢動した時、表面１０または物体に引張力が及ぼされる。装置がこのように（すなわち、表面に対して引張力を生成する牽引装置として）使用される場合、ヘッド１８を表面１０または物体に取り付けるために接着ストリップ６が必要であるが、装置２が圧縮を介して表面１０に接触したまま維持されるため、接着ストリップ８をなくしてもよい、ということが理解されよう。
【００２１】
図２は、本発明の代替実施形態による装置１０２を示す。装置１０２は、上記図１において示し説明した装置２に類似するが、図２に示す装置１０２は、必要な力を生成し、それにより使用者が、装置が据え付けられた後に力を加えるために装置を手動で作動させる必要をなくすばね１２２を備えている。
【００２２】
レバー装置１０２は、細長い、好ましくは剛性の本体部材１０４と、本体部材１０４に取り付けられた、本体部材１０４を表面１１０に取り付けるための一対の両面延伸剥離接着ストリップ１０６、１０８と、を有する。
【００２３】
本体部材１０４は、第１端１１２および第２端１１４を含む細長い主部１０４ａと、第１端１１２と第２端１１４との中間において本体部材１０４から表面１１０に向かって下方に延在する支持拡張部１０４ｂと、を有する。主部１０４ａはさらに、第１端部１０４ａ’と、支持拡張部１０４ｂが延出する中央部１０４ａ’’と、第２端部１０４ａ’’’と、を備える。第２端部１０４ａ’’’は、初期取り付け中に装置１０２の手動による作動を容易にするハンドル１１６を備える。
【００２４】
図１に示す装置２と同様に、本体部材主部１０４ａの第１端１１２に、ヘッド１１８が枢動可能に連結される。ヘッド１１８が表面１１０またはヘッド１１８と表面１１０との間に配置された物体１２４に付着するのを可能にするために、ヘッド１１８は延伸剥離接着ストリップ１０６を備える。支持拡張部１０４ｂの末端は基部１２０に枢着され、それにより本体部材１０４は表面１１０に対して枢動することができる。基部１２０を表面１１０に一時的に付着させるために、基部１２０の底面に延伸剥離接着ストリップ１０８が設けられる。基部１２０は、支持部、取付面として、かつばね１２２のための当接部としての役割を果たす、基部１２０の底部から表面１１０に沿って外側に延在する当接部１２０ａを有してもよい。
【００２５】
ばね１２２は、基部当接部１２０ａと本体部材の第２端部１０４ａ’’’との間に配置される。このように配置されると、ハンドル１１６が表面１１０に向かって付勢された時、ばね１２２は圧縮され、ヘッド１１８を表面１１０の方向に下方に付勢する力Ｆ１を生成する。装置１０２がこのように（すなわち、圧縮力を生成するクランプとして）使用される場合、装置１０２を表面１１０に取り付けるために接着ストリップ１０８が設けられることが好ましいが、ヘッド１１８は圧縮を介して物体１２４に接触したまま維持されるため、接着ストリップ１０６は不要である。装置１０２を表面１１０および物体１２４から分離するためには、接着ストリップ１０６、１０８を、関連する装置、表面および物体から剥離させるように既知の方法で延伸させる。
【００２６】
別法として、ばね１２２は、基部当接部１２０ａおよび本体部材の第２端部１０４ａ’’’に取り付けられる引張ばねであってもよく、それにより、ハンドル１１６が基部当接部１２０ａから離れる方向に上方に付勢される時、ばね１２２は緊張する。ばね１２２が緊張し、ヘッド１１８が接着ストリップ１０６を介して物体１２４に接着接合されると、物体１２４に対して引張力が及ぼされる。
【００２７】
ばね１２２がヘッド１１８に関連する力を生成することを除き、装置１０２を、図１の装置と同様に表面１１０または物体１２４に力を加えるクランプとして使用してもよい。また、装置１０２を使用して、ヘッド１１８に延伸剥離接着ストリップ１０６を取り付けることにより、表面１１０または物体１２４に対し牽引力または延伸力を与えてもよく、それによりヘッド１１８が表面１１０または物体１２４に接着接合される。このように、ヘッド１１８が、ばね１２２によって与えられる力により表面１１０または物体１２４から離れる方向に付勢されると、表面１１０または物体１２４に引張力が及ぼされる。
【００２８】
図３は、本発明の別の実施形態による装置２０２を示す。装置２０２は、上記図１において示し説明した装置２に類似するが、ヘッド２１８および基部２２０の位置が、第２種てこを形成するように入れ替わっている。
【００２９】
レバー装置２０２は、細長い、好ましくは剛性の本体部材２０４と、本体部材２０４に取り付けられた、本体部材２０４を表面２１０に取り付けるための両面延伸剥離接着ストリップ２０６と、を有する。
【００３０】
本体部材２０４は、第１端２１２および第２端２１４を含む細長い本体部２０４ａと、第１端２１２と第２端２１４との中間で本体部材２０４から表面２１０に向かって下方に延在する、力付与拡張部２０４ｂと、を有する。主部２０４ａはさらに、第１端部２０４ａ’と、力付与拡張部２０４ｂが延出する中央部２０４ａ’’と、第２端部２０４ａ’’’と、を備える。第２端部２０４ａ’’’は、装置２０２の手動による作動を容易にするハンドル２１６を備える。
【００３１】
基部２２０は、本体部材２０４が表面２１０に対して枢動することができるように、本体部材主部２０４ａの第１端２１２に枢動可能に連結される。基部２２０を表面２１０に一時的に付着させるために、基部２２０の底面に延伸剥離接着ストリップ２０６が設けられる。
【００３２】
装置２０２を使用して、まず基部２２０を、接着ストリップ２０６を介して表面に接着接合し、その後、単に、力付与拡張部２０４ｂが表面２１０に接触するまでハンドル２１６を表面２１０の方向に下方に移動させることにより、表面２１０に対する圧縮力をもたらす。かかる圧縮力をもたらすために使用される場合、接着ストリップ２０８を省略してもよい。引張力をもたらすためには、まず、力付与拡張部２０４ｂを、延伸剥離接着ストリップ２０８を介して表面２１０に接着接合し、引張力がもたらされるまで、ハンドルを表面から離れる方向に上方に移動させる。かかる引張力をもたらすために使用される場合、接着ストリップ２０６を省略してもよい。
【００３３】
図４は、トルクをもたらすために特に適した本発明の別の実施形態による装置３０２を示す。装置３０２は、ともに第２種てこを表すという点で図３の装置２０２に類似する。レバー装置３０２は、細長い、好ましくは剛性の本体部材３０４と、本体部材３０４に取り付けられ、図４では瓶３２８の上部に固定される蓋である部材３２６に本体部材３０４を接着接合するための、一対の間隔が空けられた両面延伸剥離接着ストリップ３３０、３３２と、を有する。
【００３４】
本体部材３０４は、第１端３１２および第２端３１４と、接着ストリップ３３０、３３２が付着される第１端部３０４ａ’と、装置３０２の手動による作動を容易にするハンドル３１６を備えた第２端部３０４ａ’’と、を有する。本体部材３０４は、特定の最終用途に必要な力に耐えまたはその力を伝達することができるように十分剛性である。本体部材３０４の第１端部３０４ａ’は、接着ストリップ３３０、３３２を確実に付着させることができる平面を有することが好ましい。接着ストリップが、装置の回転中に生成される力に対しより有効に耐えかつその力を伝達することができるようにするため（すなわち、ストリップがねじりによって裂けるかまたは取り除かれる可能性を最小限にするため）、少なくとも２つの接着ストリップを、それらが本体部材３０４の長手方向軸に沿って間隔を空けるように提供し、図示するように本体部材３０４の長手方向軸に対して横切る方向に（すなわち垂直に）ストリップ３３０、３３２を配置することが望ましい。最終用途によっては、第１ハンドル３１６の反対側の第１端３１２から延在する第２ハンドル（図示せず）を有する装置３０４を設けることが望ましい場合もある。
【００３５】
装置３０２を使用してトルクを生成するために、本体部材３０４をまず、両面接着ストリップ３３０、３３２を介して部材３２６に接着接合する。そして、本体部材３０４の長手方向軸に対して垂直な力Ｆ１を、本体部材３０４に加えることによりモーメントをもたらし、それにより、部材３２６に回転を与える。装置３０２を部材３２６から取り除くためには、接着ストリップ３３０、３３２を、装置および部材から同時に剥離するように既知の方法で延伸させる。
【００３６】
本体部材、基部およびヘッドを含む上述した実施形態のレバー装置を、装置の特定の意図された最終用途に応じて種々の材料から形成してもよい。適当な材料には、鋼等の金属、ポリカーボネートおよびポリ塩化ビニル等の人工プラスチック材料および木材が含まれる。選択される特定の材料は、適当な強度、低コストおよび製造の容易さ等の特性の所望の組合せを提供する限り、本発明には重要ではない。
【００３７】
当業者には、上述した本発明の概念から逸脱することなくさまざまな変形および変更を行ってもよい、ということが明らかとなろう。たとえば、装置に対して意図された最終用途に応じて、装置のサイズおよび形状を、装置をある特定の最終用途に適応させるように変更してもよく、延伸剥離接着ストリップの数、サイズ、形状および配置を変更してもよく、装置はエンボススタンプ等の器具を備えてもよい、ということが理解されよう。したがって、本発明の範囲は、本出願において説明した構造に限定されるべきではなく、特許請求の範囲の言語によって記述される構造およびそれら構造の等価物によってのみ限定されるべきである。
【図面の簡単な説明】
【００３８】
【図１】本発明による装置の側面図である。
【図２】本発明の第２実施形態の側面図である。
【図３】本発明の第３実施形態の側面図である。
【図４】本発明の第４実施形態の側面図である。
【図１】
2007512623.tif 000003
【図２】
2007512623.tif 000004
【図３】
2007512623.tif 000005
【図４】
2007512623.tif 000006
【手続補正書】
【提出日】平成17年9月21日(2005.9.21)
【手続補正１】
【補正対象書類名】特許請求の範囲
【補正対象項目名】全文
【補正方法】変更
【補正の内容】
【特許請求の範囲】
【請求項１】
引張力または圧縮力を生成するレバー装置であって、
（ａ）第１端部、中央部および第２端部を有する細長い本体部材と、
（ｂ）前記本体部材の中央部に枢動可能に連結された基部部材と、
（ｃ）前記本体部材の第１端部に枢動可能に連結されたヘッドと、
（ｄ）前記基部部材に取り付けられた両面延伸剥離接着剤と、
（ｅ）前記ヘッドに取り付けられた両面延伸剥離接着ストリップと、
を備える、レバー装置。
【請求項２】
前記基部と前記本体部材の第２端部との間に配置され、前記第２端部を付勢する付勢手段をさらに備える、請求項１に記載のレバー装置。
【請求項３】
トルクを生成するレバー装置であって、
（ａ）第１端部と、平面を有する中央部と、第２端部とを有する細長い本体部材であって、各端部がハンドルを画定する、細長い本体部材と、
（ｂ）前記本体部材の中央部平面に取り付けられ、かつ前記本体部材の長手方向軸に対して横切る方向に配置された、一対の長手方向に間隔が空けられた両面延伸剥離接着ストリップと、
を備える、レバー装置。
【請求項４】
細長い本体部材を有するレバー装置によってトルクをもたらす方法であって、
（ａ）両面延伸剥離接着剤を使用して前記本体部材を表面に取り付けるステップと、
（ｂ）前記表面に対して平行でありかつ前記本体部材に対して垂直である力を前記本体部材に付与することにより、トルクをもたらすステップと、
を含む、レバー装置によってトルクをもたらす方法。
【国際調査報告】
2007512623.tif 000007
2007512623.tif 000008
2007512623.tif 000009